【手続補正書】
【提出日】平成30年10月29日(2018.10.29)
【手続補正１】
【補正対象書類名】特許請求の範囲
【補正対象項目名】全文
【補正方法】変更
【補正の内容】
【特許請求の範囲】
【請求項１】
記録材が載置される載置部と、
記録材を搬送する搬送手段と、
前記搬送手段により搬送される記録材に画像を形成する画像形成手段と、
前記載置部に載置された記録材に関する情報を前記載置部に対応付けて記憶する記憶手段と、
記録材の紙種情報を入力するための入力手段と、
記録材の紙種情報に応じて、前記搬送手段の劣化度合いを取得する取得手段と、
を備え、
前記入力手段より入力された記録材の紙種情報と、前記記憶手段に記憶された記録材の紙種情報が異なる場合、前記画像形成手段は前記入力手段により入力された記録材の紙種情報に基づいて決定された画像形成条件により記録材に画像を形成し、前記取得手段は前記記憶手段に記憶された記録材の紙種情報に応じて、前記搬送手段の劣化度合いを取得することを特徴とする画像形成装置。
【請求項２】
前記入力手段より入力された記録材の紙種情報と、前記記憶手段に記憶された記録材の紙種情報とが異なる場合、報知メッセージを出力する出力手段を備えることを特徴とする請求項１に記載の画像形成装置。
【請求項３】
前記取得手段は、前記報知メッセージが出力された後に、更新された前記記憶手段に記憶された記録材の紙種情報に基づいて、前記搬送手段の劣化度合いを取得することを特徴とする請求項２に記載の画像形成装置。
【請求項４】
前記入力手段は、前記搬送手段により搬送される記録材の紙種情報を検知する検知手段を含み、
前記入力手段より入力された記録材の紙種情報が、前記検知手段により検知された記録材の紙種情報である場合、前記取得手段は前記検知手段により検知された記録材の紙種情報に応じて、前記搬送手段の劣化度合いを取得することを特徴とする請求項１乃至３のいずれか１項に記載の画像形成装置。
【請求項５】
前記取得手段は、前記記録材の紙種情報に対応する記録材の剛度及び記録材に含まれる填料の配合量に基づいて、前記劣化度合いを取得することを特徴とする請求項１乃至４のいずれか１項に記載の画像形成装置。
【請求項６】
前記取得手段は、前記搬送手段により記録材を搬送する際の１ページあたりの摩耗量及び前記搬送手段により記録材を搬送する際の１回転あたりの摩耗量の少なくともいずれか一方に前記剛度及び前記填料の配合量に応じた係数を乗じて積算した摩耗量を、前記劣化度合いとして求めることを特徴とする請求項５に記載の画像形成装置。
【請求項７】
前記取得手段は、前記剛度が小さいほど、且つ、前記填料の配合量が少ないほど、前記係数を小さい値に設定することを特徴とする請求項６に記載の画像形成装置。
【請求項８】
前記搬送手段は、記録材に形成されたトナー像を記録材に定着する定着部であり、
前記定着部は、加熱フィルムと加圧ローラを含んでおり、前記加熱フィルムと前記加圧ローラによって形成される定着ニップ部において記録材を挟持しつつ搬送することを特徴とする請求項１乃至７のいずれか１項に記載の画像形成装置。
【請求項９】
前記画像形成手段は、像担持体と、前記像担持体に形成された静電潜像を現像する現像部と、前記現像部により現像されたトナー像を記録材に転写する転写部と、前記転写部により転写されたトナー像を記録材に定着する定着部と、を含み、
前記画像形成条件とは、記録材の搬送速度、前記現像部に印加する電圧値、前記転写部に印加する電圧値、前記定着部の温度の少なくともいずれか一つであることを特徴とする請求項１乃至７のいずれか１項に記載の画像形成装置。
【請求項１０】
記録材が載置される載置部と、
記録材を搬送しつつ、記録材にトナー像を定着する定着部と、
前記載置部に載置された記録材に関する情報を前記載置部に対応付けて記憶する記憶手段と、
記録材の紙種情報を入力するための入力手段と、
記録材の紙種情報に応じて、前記定着部の劣化度合いを取得する取得手段と、
を有し、
前記入力手段より入力された記録材の紙種情報と、前記記憶手段に記憶された記録材の紙種情報が異なる場合、前記定着部は前記入力手段により入力された記録材の紙種情報に基づいて決定された温度により記録材にトナー像を定着し、前記取得手段は前記記憶手段に記憶された記録材の紙種情報に応じて、前記定着部の劣化度合いを取得することを特徴とする画像形成装置。
【請求項１１】
複数の画像形成装置と、前記複数の画像形成装置とネットワーク回線を介して接続された管理装置と、を備える管理システムであって、
前記複数の画像形成装置はそれぞれ、
記録材が載置される複数の載置部と、
記録材を搬送する搬送手段と、
前記搬送手段により搬送される記録材に画像を形成する画像形成手段と、
前記複数の載置部の各々に載置された記録材に関する情報を前記複数の載置部の各々に対応付けて記憶する記憶手段と、
記録材の紙種情報を入力するための入力手段と、
記録材の紙種情報に応じて、前記搬送手段の劣化度合いを取得する取得手段と、
を有し、
前記管理装置は、
前記複数の画像形成装置の前記複数の載置部の各々に載置された記録材に関する情報を、前記複数の載置部の各々に対して設定することが可能な設定手段を有し、
前記入力手段より入力された記録材の紙種情報と、前記設定手段により設定され前記記憶手段に記憶された記録材の紙種情報が異なる場合、前記画像形成手段は前記入力手段により入力された記録材の紙種情報に基づいて決定された画像形成条件により記録材に画像を形成し、前記取得手段は前記記憶手段に記憶された記録材の紙種情報に応じて、前記搬送手段の劣化度合いを取得することを特徴とする管理システム。
【請求項１２】
前記入力手段より入力された記録材の紙種情報と、前記記憶手段に記憶された記録材の紙種情報とが異なる場合、前記画像形成装置は前記管理装置に報知メッセージを送信することを特徴とする請求項１１に記載の管理システム。
【請求項１３】
前記取得手段は、前記報知メッセージが送信された後に、前記設定手段により更新された前記記憶手段に記憶された記録材の紙種情報に基づいて、前記搬送手段の劣化度合いを取得することを特徴とする請求項１２に記載の管理システム。
【請求項１４】
前記入力手段は、前記搬送手段により搬送される記録材の紙種情報を検知する検知手段を含み、
前記入力手段より入力された記録材の紙種情報が、前記検知手段により検知された記録材の紙種情報である場合、前記取得手段は前記検知手段により検知された記録材の紙種情報に応じて、前記搬送手段の劣化度合いを取得することを特徴とする請求項１１乃至１３のいずれか１項に記載の管理システム。
【請求項１５】
前記取得手段は、前記記録材の紙種情報に対応する記録材の剛度及び記録材に含まれる填料の配合量に基づいて、前記劣化度合いを取得することを特徴とする請求項１１乃至１４のいずれか１項に記載の管理システム。
【請求項１６】
前記取得手段は、前記搬送手段により記録材を搬送する際の１ページあたりの摩耗量及び前記搬送手段により記録材を搬送する際の１回転あたりの摩耗量の少なくともいずれか一方に前記剛度及び前記填料の配合量に応じた係数を乗じて積算した摩耗量を、前記劣化度合いとして求めることを特徴とする請求項１５に記載の管理システム。
【請求項１７】
前記取得手段は、前記剛度が小さいほど、且つ、前記填料の配合量が少ないほど、前記係数を小さい値に設定することを特徴とする請求項１６に記載の管理システム。
【請求項１８】
前記搬送手段は、記録材に形成されたトナー像を記録材に定着する定着部であり、
前記定着部は、加熱フィルムと加圧ローラを含んでおり、前記加熱フィルムと前記加圧ローラによって形成される定着ニップ部において記録材を挟持しつつ搬送することを特徴とする請求項１１乃至１７のいずれか１項に記載の管理システム。
【請求項１９】
前記画像形成手段は、像担持体と、前記像担持体に形成された静電潜像を現像する現像部と、前記現像部により現像されたトナー像を記録材に転写する転写部と、前記転写部により転写されたトナー像を記録材に定着する定着部と、を含み、
前記画像形成条件とは、記録材の搬送速度、前記現像部に印加する電圧値、前記転写部に印加する電圧値、前記定着部の温度の少なくともいずれか一つであることを特徴とする請求項１１乃至１７のいずれか１項に記載の管理システム。
【請求項２０】
複数の画像形成装置と、前記複数の画像形成装置とネットワーク回線を介して接続された管理装置と、を備える管理システムであって、
前記複数の画像形成装置はそれぞれ、
記録材が載置される複数の載置部と、
記録材を搬送しつつ、記録材にトナー像を定着する定着部と、
前記複数の載置部の各々に載置された記録材についての情報を前記複数の載置部の各々に対応付けて記憶する記憶手段と、
記録材の紙種情報を入力するための入力手段と、
記録材の紙種情報に応じて、前記定着部の劣化度合いを取得する取得手段と、
を有し、
前記管理装置は、
前記複数の画像形成装置の前記複数の載置部の各々に載置された記録材についての情報を、前記複数の載置部の各々に対して設定することが可能な設定手段を有し、
前記入力手段より入力された記録材の紙種情報と、前記設定手段により設定され前記記憶手段に記憶された記録材の紙種情報が異なる場合、前記定着部は前記入力手段により入力された記録材の紙種情報に基づいて決定された温度により記録材にトナー像を定着し、前記取得手段は前記記憶手段に記憶された記録材の紙種情報に応じて、前記定着部の劣化度合いを取得することを特徴とする管理システム。
【手続補正２】
【補正対象書類名】明細書
【補正対象項目名】００１０
【補正方法】変更
【補正の内容】
【００１０】
（１）記録材が載置される載置部と、記録材を搬送する搬送手段と、前記搬送手段により搬送される記録材に画像を形成する画像形成手段と、前記載置部に載置された記録材に関する情報を前記載置部に対応付けて記憶する記憶手段と、記録材の紙種情報を入力するための入力手段と、記録材の紙種情報に応じて、前記搬送手段の劣化度合いを取得する取得手段と、を備え、前記入力手段より入力された記録材の紙種情報と、前記記憶手段に記憶された記録材の紙種情報が異なる場合、前記画像形成手段は前記入力手段により入力された記録材の紙種情報に基づいて決定された画像形成条件により記録材に画像を形成し、前記取得手段は前記記憶手段に記憶された記録材の紙種情報に応じて、前記搬送手段の劣化度合いを取得することを特徴とする画像形成装置。
（２）記録材が載置される載置部と、記録材を搬送しつつ、記録材にトナー像を定着する定着部と、前記載置部に載置された記録材に関する情報を前記載置部に対応付けて記憶する記憶手段と、記録材の紙種情報を入力するための入力手段と、記録材の紙種情報に応じて、前記定着部の劣化度合いを取得する取得手段と、を有し、前記入力手段より入力された記録材の紙種情報と、前記記憶手段に記憶された記録材の紙種情報が異なる場合、前記定着部は前記入力手段により入力された記録材の紙種情報に基づいて決定された温度により記録材にトナー像を定着し、前記取得手段は前記記憶手段に記憶された記録材の紙種情報に応じて、前記定着部の劣化度合いを取得することを特徴とする画像形成装置。
（３）複数の画像形成装置と、前記複数の画像形成装置とネットワーク回線を介して接続された管理装置と、を備える管理システムであって、前記複数の画像形成装置はそれぞれ、記録材が載置される複数の載置部と、記録材を搬送する搬送手段と、前記搬送手段により搬送される記録材に画像を形成する画像形成手段と、前記複数の載置部の各々に載置された記録材に関する情報を前記複数の載置部の各々に対応付けて記憶する記憶手段と、記録材の紙種情報を入力するための入力手段と、記録材の紙種情報に応じて、前記搬送手段の劣化度合いを取得する取得手段と、を有し、前記管理装置は、前記複数の画像形成装置の前記複数の載置部の各々に載置された記録材に関する情報を、前記複数の載置部の各々に対して設定することが可能な設定手段を有し、前記入力手段より入力された記録材の紙種情報と、前記設定手段により設定され前記記憶手段に記憶された記録材の紙種情報が異なる場合、前記画像形成手段は前記入力手段により入力された記録材の紙種情報に基づいて決定された画像形成条件により記録材に画像を形成し、前記取得手段は前記記憶手段に記憶された記録材の紙種情報に応じて、前記搬送手段の劣化度合いを取得することを特徴とする管理システム。
（４）複数の画像形成装置と、前記複数の画像形成装置とネットワーク回線を介して接続された管理装置と、を備える管理システムであって、前記複数の画像形成装置はそれぞれ、記録材が載置される複数の載置部と、記録材を搬送しつつ、記録材にトナー像を定着する定着部と、前記複数の載置部の各々に載置された記録材についての情報を前記複数の載置部の各々に対応付けて記憶する記憶手段と、記録材の紙種情報を入力するための入力手段と、記録材の紙種情報に応じて、前記定着部の劣化度合いを取得する取得手段と、を有し、前記管理装置は、前記複数の画像形成装置の前記複数の載置部の各々に載置された記録材についての情報を、前記複数の載置部の各々に対して設定することが可能な設定手段を有し、前記入力手段より入力された記録材の紙種情報と、前記設定手段により設定され前記記憶手段に記憶された記録材の紙種情報が異なる場合、前記定着部は前記入力手段により入力された記録材の紙種情報に基づいて決定された温度により記録材にトナー像を定着し、前記取得手段は前記記憶手段に記憶された記録材の紙種情報に応じて、前記定着部の劣化度合いを取得することを特徴とする管理システム。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】